(57)【要約】【課題】樹皮などの長尺材を定量的に供給できるようにする。【解決手段】樹皮などの長尺材Ｗを搬送するコンベア２と、このコンベア２上を横断する回転軸１５まわりで回転可能に設けられた整流ロータ３と、この整流ロータ３に対しそのロータ下端部でコンベア２上を搬送される長尺材Ｗに搬送方向とは逆方向の押し戻し作用を付与すべく回転させる回転駆動部４とを有した定量供給装置において、整流ロータ３は、回転軸１５まわりで張り出しつつその軸方向に連続した板状翼面１６を有している。【選択図】図１
2005162388.tif 000002
【特許請求の範囲】
【請求項１】
樹皮などの長尺材（Ｗ）を搬送するコンベア（２）と、このコンベア（２）上を横断する回転軸（１５）まわりで回転可能に設けられた整流ロータ（３）と、この整流ロータ（３）に対しそのロータ下端部でコンベア（２）上を搬送される長尺材（Ｗ）に搬送方向とは逆方向の押し戻し作用を付与すべく回転させる回転駆動部（４）とを有しており、上記整流ロータ（３）は、回転軸（１５）まわりで張り出しつつその軸方向に連続した板状翼面（１６）を有していることを特徴とする長尺材の定量供給装置。
【請求項２】
前記回転駆動部（４）は、整流ロータ（３）の板状翼面（１６）先端部の周速をコンベア（２）の搬送速度に対して同等以上に設定してあることを特徴とする請求項１記載の長尺材の定量供給装置。
【請求項３】
前記整流ロータ（３）の板状翼面（１６）は、回転軸（１５）の軸心に対して回転方向の前側へ偏心した位置付けとなっていることを特徴とする請求項１又は請求項２記載の長尺材の定量供給装置。
【請求項４】
前記整流ロータ（３）において板状翼面（１６）が回転軸（１５）に対して着脱自在になっていることを特徴とする請求項１乃至請求項３のいずれかに記載の長尺材の定量供給装置。
【発明の詳細な説明】
【技術分野】
【０００１】
本発明は、樹皮などの長尺材を定量的に供給できるようにした長尺材の定量供給装置に関する。
【背景技術】
【０００２】
多量にまとまった状態で連続搬送などされる被供給部材を下流側の工程や各種場所、入れ物等に供給するうえで、その供給量を一定に均す装置として、被供給部材に攪拌作用を起こさせつつ供給出口へ導くような方法を採用したものは公知である（例えば肥料散布に関する技術として特許文献１等がある）。
この種の供給装置は、供給出口の上流部を横断するように設けられた回転軸に対し、そのまわりに軸方向及び周方向に点在する状態でオルゴールピンのような突起物が設けられて成る攪拌用ロータ（アジテータなどとも呼ばれている）を回転させるものであった。要は、攪拌用ロータが供給出口に向かおうとする被供給部材に適度な押し戻し作用を与え、これで攪拌現象が起こるようにしているものであった。
【特許文献１】特開平９−１５４３５１号公報（図９）
【発明の開示】
【発明が解決しようとする課題】
【０００３】
樹皮やバークなど、３０ｃｍとかそれを軽く超えて中には１ｍ以上（３〜４ｍ級もある）にも達する長さを持ち且つ可撓性乃至柔軟性を有するような長尺の被供給部材（以下、単に「長尺材」と言う）をコンベアで搬送し、その次の工程でこの長尺材を切断したり粉砕したりするといった場合にあって、これら切断工程や粉砕工程で長尺材が詰まりや滞留を起こすのを防止するために、予め、長尺材を定量的に切り出す（供給する）工程を挟ませることが重要になることがある。
ところが、このように長尺材を定量供給させるうえで、長尺材のコンベア上に特許文献１等で開示された攪拌用ロータを設ける装置を製作した場合では、この攪拌用ロータに対して各突起物相互間で長尺材が目詰まりを起こしたり回転軸まわりに長尺体が巻き付いたりしてしまい、やがてはこの攪拌用ロータが径大なドラム形を呈する状態になり、結果、攪拌用ロータとコンベアとの上下間が詰まるか又は詰まらないにしても攪拌作用（定量供給作用）が十分に得られない状況に陥るということがあった。
【０００４】
本発明は、上記事情に鑑みてなされたものであって、樹皮などの長尺材を定量的に供給できるようにした長尺材の定量供給装置を提供することを目的とする。
【課題を解決するための手段】
【０００５】
前記目的を達成するために、本発明は次の手段を講じた。
即ち、本発明に係る長尺材Ｗの定量供給装置１は、樹皮などの長尺材Ｗを搬送するコンベア２と、このコンベア２上を横断する回転軸１５まわりで回転可能に設けられた整流ロータ３と、この整流ロータ３に対しそのロータ下端部でコンベア２上を搬送される長尺材Ｗに搬送方向とは逆方向の押し戻し作用を付与すべく回転させる回転駆動部４とを有している。そして、整流ロータ３は、回転軸１５まわりで張り出しつつその軸方向に連続した板状翼面１６を有している。
【０００６】
このような構成であると、整流ロータ３の回りで長尺材Ｗが目詰まりや巻き付きを起こすことがなくなり、そのためこの整流ロータ３により、コンベア２上で搬送状態とされる長尺材Ｗを整流し続けることができる。従って、コンベア２の下流側に対し、長尺材Ｗの定量供給が可能となる。
回転駆動部４は、整流ロータ３の板状翼面１６先端部の周速をコンベア２の搬送速度に対して同等以上に設定しておくのが好適となる。また整流ロータ３の板状翼面１６は、回転軸１５の軸心に対して回転方向の前側へ偏心した位置付けとしておくのが好適である。
【０００７】
整流ロータ３において、板状翼面１６は回転軸１５に対して着脱自在にしておくのが好適である。これにより、板状翼面１６が摩耗、破損、変形などを生じた際の交換が容易となる。
【発明の効果】
【０００８】
本発明に係る長尺材の定量供給装置では、樹皮などの長尺材を定量的に供給できるようになる。
【発明を実施するための最良の形態】
【０００９】
以下、本発明の実施の形態を、図面に基づき説明する。
図１乃至図４は、本発明に係る長尺材の定量供給装置１の一実施形態を示している。この定量供給装置１は、樹皮やバークなど、３０ｃｍとかそれを軽く超えて中には１ｍ以上（３〜４ｍ級もある）にも達する長さを持ち且つ可撓性乃至柔軟性を有するような長尺材を搬送することのできるコンベア２をベースにして、このコンベア２に整流ロータ３及びそれの回転駆動部４が設けられたものである。
なお、コンベア２は図例ではベルトコンベアを示してあるが、ローラコンベアやチェンコンベアなどに置換することも可能であって、その細部構造は何ら限定されるものではなく、要は長尺材Ｗの搬送が可能なものであればよい。本実施形態において、このコンベア２には搬送駆動部６が設けられたものとしてある。この搬送駆動部６は、モータ７からチェンやベルト等の伝動手段８により減速機９を介してベルト掛けローラ１０へ駆動が伝えられるようになっている。
【００１０】
また、このコンベア２には長尺材Ｗが搬送途中に落下するのを防止するため、その左右両側に搬送方向に沿って囲い板１２が設けられている。これら囲い板１２は、長尺材Ｗが甚だしく蛇行し、錯綜するのを防止するうえでも有益となる。これら左右の囲い壁１２の下端部は、コンベア２の搬送面上へ張り出すように傾斜している（図２参照）。
整流ロータ３は、コンベア２上を幅方向に横断する状態で架設された回転軸１５と、この回転軸１５のまわりで張り出して設けられた板状翼面１６とを有している。回転軸１５は、コンベア２の搬送面幅に略対応する長さ範囲をある程度、外径の太いものとして形成されており、この太くされた部分の両端部は、それぞれ左右両側の囲い板１２を貫通した外側で軸受け１７によって回転自在に保持されている。軸受け１７が囲い板１２の外側とされていることで、これら軸受け１７に長尺材Ｗが巻き込まれたり、長尺材Ｗから発生した粉塵で軸受け１７の潤滑性に悪影響がでたりすることが防止される。
【００１１】
板状翼面１６は、回転軸１５の軸方向に連続した板形状を呈したものとなっている。この板状翼面１６は、コンベア２に設けられた左右両側の囲い板１２に対し、それらの内法寸法（対面間距離）を略満たすように対応させて形成されている。なお、板状翼面１６の両端部には、ゴム板等の弾性可撓材によって形成されたブレード１８が設けられている。これらブレード１８は、整流ロータ３の回転時に左右の囲い板１２の各内面を弾性的に当接しつつ擦過するような状態とされており、板状翼面１６と囲い板１２との間で長尺材Ｗの漏れだしや詰まりが起こるのを防止できるようになっている。
【００１２】
板状翼面１６が回転軸１５のまわりで張り出す位置付けは、回転軸１５の軸心に対し、その回転方向（図３では反時計回り）の前側へ偏心するようになされている。従って、板状翼面１６の回転方向前面（長尺材Ｗに積極的に当接する面）は、回転軸１５の外周面に対して接線的な位置関係を持つことになり、この部分で長尺材Ｗに引っ掛かりが生じにくくなっている。なお、本実施形態において、この板状翼面１６は回転軸１５のまわりで４等配位置に設けられたものとしているが、この配置数は特に限定されるものではない。
図４から明らかなように、各板状翼面１６は、回転軸１５に設けられたブラケット部材２０に対してボルト２１によって取り付けられたものとしてある。そのため、必要に応じてボルト２１を緩め取ったり締め込んだりすることで、各板状翼面１６は回転軸１５に対して着脱自在になっており、板状翼面１６が摩耗、破損、変形などを生じた際の交換が容易となっている。なお、ブラケット部材２０には、回転軸１５の回転方向に対してその後方側へ向かうように張り出す補強リブ２２を設けておくのが好適である。
【００１３】
このような整流ロータ３は、そのロータ下端部がコンベア２上を搬送される長尺材Ｗのうち、所定の嵩（コンベア２の搬送面からの山積み高さ）を超えたものに当接するような高さに設けられている。
回転駆動部４は、整流ロータ３の回転軸１５の一端部に設けられた入力ギヤ２５に対し、モータ２６からチェンやベルト、歯車列等の適宜伝動手段２７により回転駆動が伝えられるようになっている。この回転駆動部４により、整流ロータ３は、そのロータ下端部でコンベア２上を搬送される長尺材Ｗに搬送方向とは逆方向（図３に右方）へ押し戻すような作用を付与すべく回転する。また、この整流ロータ３の上方へ乗り上げようとする長尺材Ｗに対しては、これに適度な振動を与えてバラケさせ、押し戻される長尺材Ｗの流れに旨く沿わせる（巻き込ませる）ような作用を与える。
【００１４】
この回転駆動部４は、例えばインバータ制御などによってコンベア２の搬送駆動部６との連動関係が保持されるようになっており、整流ロータ３における板状翼面１６の先端部での周速が、コンベア２の搬送速度に対して同等以上とされている。なお、インバータ制御に代え、回転駆動部４と搬送駆動部６とを歯車機構や巻掛け伝動手段等による機械的な連動関係にすることで、両者の速度差を物理的に保持させるものとしてもよい。
このような構成の定量供給装置１では、コンベア２上を搬送された長尺材Ｗが整流ロータ３によって適度に押し戻され、コンベア２上で山積み状態となっている長尺材Ｗのうち、その上層側となっている部分に供給を制限させるような状況が続くことになる。そのため、コンベア２の搬出部では定量的な長尺材Ｗの供給が可能となる。
【００１５】
しかも、整流ロータ３において、その回りで長尺材Ｗが目詰まりや巻き付きを起こすことがないので、コンベア２上はいつまでも長尺材Ｗの整流状態が継続されることになる。
ところで、本発明は、上記した実施形態に限定されるものではなく、実施の形態に応じて適宜変更可能である。
【図面の簡単な説明】
【００１６】
【図１】本発明に係る定量供給装置の一実施形態を示した正面図である。
【図２】図１の左側面図である。
【図３】コンベアに対する整流ロータの設置状況を拡大して示した図である。
【図４】図３のＡ−Ａ線拡大断面図である。
【符号の説明】
【００１７】
１  定量供給装置
２  コンベア
３  整流ロータ
４  回転駆動部
１５  回転軸
１６  板状翼面
Ｗ  長尺材
【図１】
2005162388.tif 000003
【図２】
2005162388.tif 000004
【図３】
2005162388.tif 000005
【図４】
2005162388.tif 000006